(57)【要約】【課題】利用者の利便性を向上させることができる入出場管理装置、入出場管理システム、および入出場管理プログラムを提供することである。【解決手段】実施形態の入出場管理装置は、通信部と、判別部と、入出場管理部とを持つ。通信部は、ネットワークを介して接続される自動改札機から、前記自動改札機により読み取られた指紋の形状を表す指紋情報を受信する。判別部は、前記通信部により受信された前記指紋情報に基づいて、利用者の指ごとに予め割り当てられている少なくとも一つの権限の種別を判別する。入出場管理部は、前記判別部により判別された前記権限の種別に基づいて、前記利用者の入出場の可否を判定する。【選択図】図４
2018092431.tif 000002
【特許請求の範囲】
【請求項１】
ネットワークを介して接続される自動改札機から、前記自動改札機により読み取られた指紋の形状を表す指紋情報を受信する通信部と、
前記通信部により受信された前記指紋情報に基づいて、利用者の指ごとに予め割り当てられている少なくとも一つの権限の種別を判別する判別部と、
前記判別部により判別された前記権限の種別に基づいて、前記利用者の入出場の可否を判定する入出場管理部と、
を備える入出場管理装置。
【請求項２】
前記判別部は、
前記指紋情報に複数の指の指紋の形状を表す情報が含まれる場合、それぞれの指に対応する複数の権限の種別を判別し、
前記入出場管理部は、
前記判別部により種別が判別された複数の権限を組み合わせて、前記利用者の入出場の可否を判定する
請求項１に記載の入出場管理装置。
【請求項３】
前記判別部は、
一つの指の形状を表す前記指紋情報に基づいて、二つ以上の権限の種類を判別する場合がある
請求項１または２に記載の入出場管理装置。
【請求項４】
前記権限には有効期間または残高を示す効力情報が対応付けられており、
前記入出場管理部は、前記効力情報における有効期間が基準よりも短くなった権限または残高が基準よりも少なくなった権限に対応する利用者の端末装置に対し、有効期間または残高に関する情報を送信する、
請求項１から３のうちいずれか１項記載の入出場管理装置。
【請求項５】
請求項１から４のうちいずれか１項記載の入出場管理装置と、
利用者の指から前記指紋情報を読み取り、前記ネットワークを介して前記入出場管理装置に送信する自動改札機と、
を備える入出場管理システム。
【請求項６】
コンピュータに、
ネットワークを介して接続される自動改札機から、前記自動改札機により読み取られた指紋の形状を表す指紋情報を受信させ、
受信された前記指紋情報に基づいて、利用者の指ごとに予め割り当てられている少なくとも一つの権限の種別を判別させ、
判別された前記権限の種別に基づいて、前記利用者の入出場の可否を判定させる
入出場管理プログラム。
【発明の詳細な説明】
【技術分野】
【０００１】
本発明の実施形態は、入出場管理装置、入出場管理システム、および入出場管理プログラムに関する。
【背景技術】
【０００２】
従来、ＩＣ（Integrated Circuit）カードや同等の機能を有する端末装置を改札機の読取装置に翳させ、チャージ金額から運賃を引き去ることにより入出場を許可するシステムがある。
【０００３】
しかしながら、この種のシステムでは、ＩＣカードなどの媒体が必要不可欠であり、媒体の持参を忘れた場合や紛失した場合など、改めて乗車券を購入したり、媒体の再発行の手続きを行ったりする必要があり、不便な側面があった。
【先行技術文献】
【特許文献】
【０００４】
【特許文献１】特開２０１０−００３１８０号公報
【発明の概要】
【発明が解決しようとする課題】
【０００５】
本発明が解決しようとする課題は、利用者の利便性を向上させることができる入出場管理装置、入出場管理システム、および入出場管理プログラムを提供することである。
【課題を解決するための手段】
【０００６】
実施形態の入出場管理装置は、通信部と、判別部と、入出場管理部とを持つ。通信部は、ネットワークを介して接続される自動改札機から、前記自動改札機により読み取られた指紋の形状を表す指紋情報を受信する。判別部は、前記通信部により受信された前記指紋情報に基づいて、利用者の指ごとに予め割り当てられている少なくとも一つの権限の種別を判別する。入出場管理部は、前記判別部により判別された前記権限の種別に基づいて、前記利用者の入出場の可否を判定する。
【図面の簡単な説明】
【０００７】
【図１】実施形態の入出場管理システム１の構成図。
【図２】一つの自動改札機１０を上方から見た図。
【図３】実施形態の自動改札機１０の機能構成を示す図。
【図４】実施形態のセンターサーバ１００の構成図。
【図５】指紋情報テーブル１２２の内容の一例を示す図。
【図６】利用履歴情報テーブル１２３の内容の一例を示す図。
【図７】電子マネーテーブル１２４の内容の一例を示す図。
【図８】定期券テーブル１２５の内容の一例を示す図。
【図９】回数券テーブル１２６の内容の一例を示す図。
【図１０】入出場管理システム１の全体の流れの一例を示すシーケンス図。
【図１１】自動改札機１０の動作の一部の流れの一例を示すフローチャート。
【図１２】センターサーバ１００による入場処理の流れの一例を示すフローチャート。
【図１３】センターサーバ１００による出場処理の流れの一例を示すフローチャート。
【発明を実施するための形態】
【０００８】
以下、実施形態の入出場管理装置、入出場管理システム、および入出場管理プログラムを、図面を参照して説明する。
【０００９】
図１は、実施形態の入出場管理システム１の構成図である。入出場管理システム１は、例えば、複数の駅に設置された自動改札機１０と、センターサーバ（入出場管理装置）１００と、端末装置２００とを備える。各駅には、駅サーバ５０が設けられる。各駅の自動改札機１０は、駅サーバ５０を介してネットワークＮＷにアクセスし、センターサーバ１００と通信する。駅サーバ５０には、駅務機器４０などの機器が接続される場合もある。ネットワークＮＷは、ＷＡＮ（Wide Area Network）やＬＡＮ（Local Area Network）などを含む。端末装置２００は、例えば、利用者が所有している端末装置である。
【００１０】
次に、図２および図３を参照して、自動改札機１０について説明する。図２は、一つの自動改札機１０を上方から見た図である。図３は、自動改札機１０の機能構成を示す図である。自動改札機１０は、通路を挟んで対向配置される主機２０と従機３０とを備える。主機２０は、例えば、指紋リーダ部２１と、上面表示部２２と、正面表示部２３と、扉部２４および２５と、制御部２６と、改札機側通信部２７とを備える。また、従機３０は、指紋リーダ部３１と、上面表示部３２と、正面表示部３３と、扉部３４および３５とを備える。
【００１１】
主機２０の指紋リーダ部２１は、図２のａ方向に通過しようとする利用者によって接触された指から指紋を読み取って、読み取った指紋情報を制御部２６に送信する。上面表示部２２は、指紋リーダ部２１に指が接触した場合に、制御部２６によって処理された結果を表示する。正面表示部２３は、図２のａ方向に通過可能であるか否かを示すマークや図形、文字等を表示する。正面表示部２３の表示内容は、制御部２６によって決定される。図２の例では、自動改札機１０は、ａ方向の通過のみ許可する動作モード（第１の動作モード）に設定されているため、主機２０の正面表示部２３は、通過を許可することを示すマークを表示している。制御部２６は、主機２０と従機３０の各部を制御する。
【００１２】
一方、従機３０の指紋リーダ部３１は、ｂ方向に通過しようとする利用者によって接触された指から指紋を読み取って、読み取った指紋情報を主機２０の制御部２６に送信する。上面表示部３２は、指紋リーダ部３１に指が接触された場合に、主機２０の制御部２６によって処理された結果を表示する。正面表示部３３は、ｂ方向に通過可能であるか否かを示すマークや図形、文字等を表示する。正面表示部３３の表示内容は、主機２０の制御部２６によって決定される。図２の例では、自動改札機１０は、ａ方向の通過のみ許可する第１の動作モードに設定されているため、従機３０の正面表示部３３は、通過を禁止することを示すマークを表示している。
【００１３】
主機２０の制御部２６は、通信制御部２６Ａと扉制御部２６Ｂとを備える。通信制御部２６Ａは、指紋リーダ部２１または３１から受信した指紋情報に、自動改札機１０が設置されている駅を示す情報や、現在の日時を示す情報等を対応付けて、改札機側通信部２７に出力する。改札機側通信部２７は、通信制御部２６Ａから入力される情報を、駅サーバ５０およびネットワークＮＷを介してセンターサーバ１００に送信する。
【００１４】
扉制御部２６Ｂは、自動改札機１０が第１の動作モードに設定されている場合には、扉部２５および３５を開放状態に維持すると共に、扉部２４および３４を開放状態または閉止状態に制御することで、ａ方向の利用者の通過を許可または禁止する。また、扉制御部２６Ｂは、自動改札機１０が図２のｂ方向の通過のみ許可する動作モード（第２の動作モード）に設定されている場合には、扉部２４および３４を開放状態に維持すると共に、扉部２５および３５を開放状態または閉止状態に制御することで、ｂ方向の利用者の通過を許可または禁止する。
【００１５】
また、扉制御部２６Ｂは、ネットワークＮＷおよび駅サーバ５０を介してセンターサーバ１００から受信した開閉コマンドに基づき、扉部２４，２５，３４，３５を制御する。例えば、扉制御部２６Ｂは、第１の動作モードに設定されている状態において、センターサーバ１００から開放コマンドを受信した場合、扉部２４および３４を開放状態に制御し、センターサーバ１００から閉止コマンドを受信した場合、扉部２４および３４を開放状態に制御する。また、扉制御部２６Ｂは、第２の動作モードに設定されている状態において、センターサーバ１００から開放コマンドを受信した場合、扉部２５および３５を開放状態に制御し、センターサーバ１００から閉止コマンドを受信した場合、扉部２５および３５を開放状態に制御する。
【００１６】
指紋リーダ部２１および３１は、指紋読取面を備え、指紋読取面に接触された指から指紋の形状を表す指紋情報を取得し、制御部２６に送信する。指紋リーダ部２１および３１は、少なくとも２本以上の指が接触する指紋読取面を備えており、指の種類ごとに接触する位置が決められていてもよい。
【００１７】
図４は、実施形態のセンターサーバ１００の構成図である。センターサーバ１００は、例えば、通信部１１０と、記憶部１２０と、制御部１３０とを備える。
【００１８】
通信部１１０は、ネットワークＮＷおよび駅サーバ５０を介して自動改札機１０と通信したり、ネットワークＮＷを介して端末装置２００と通信したりする。なお、自動改札機１０と通信する通信部と、端末装置２００と通信する通信部とは別体であってもよい。通信部１１０は、自動改札機１０または端末装置２００により送信された情報を受信した場合、受信した情報を制御部１３０に出力する。また、通信部１１０は、制御部１３０の指示に従って、自動改札機１０に情報を送信する。
【００１９】
記憶部１２０は、例えば、ＨＤＤ（Hard Disc Drive）、フラッシュメモリ、ＥＥＰＲＯＭ（Electrically Erasable Programmable Read Only Memory）、ＲＯＭ（Read Only Memory）、またはＲＡＭ（Random Access Memory）等により実現される。記憶部１２０には、運賃テーブル１２１と、指紋情報テーブル１２２と、利用履歴情報テーブル１２３と、電子マネーテーブル１２４と、定期券テーブル１２５と、回数券テーブル１２６とが記憶されている。また、記憶部１２０には、上記の各種情報の他、アプリケーションプログラムなどの各種プログラム、制御部１３０による処理結果などが記憶される。
【００２０】
運賃テーブル１２１は、例えば、駅の区間に対して運賃が対応付けられた情報である。
【００２１】
図５は、指紋情報テーブル１２２の内容の一例を示す図である。指紋情報テーブル１２２は、各利用者の指紋に対応付けられた権限の種別を定義するテーブルである。指紋情報テーブル１２２では、例えば、図５に示す通り、利用者ＩＤに、指の種類と、指紋情報と、第１権限の種別と、第１権限ＩＤと、第２権限の種別と、第２権限ＩＤとが対応付けられている。利用者ＩＤは、例えば、各利用者を識別する固有の情報である。指紋情報とは、その指の指紋の形状を何らかの形式で表す情報、或いは形状から求められた特徴量などを表す情報である。第１権限とは、ユーザの指に対応付けられた権限のうちの一つであり、第２権限は、ユーザの指に対応付けられた権限のうち他の一つである。権限の種別には、例えば、電子マネーにより運賃を支払って乗車する権限（以下、電子マネー権限と記す）、定期券により乗車する権限（以下、定期券権限と記す）、回数券により乗車する権限（以下、回数券権限と記す）等が含まれる。また、権限の種別には、区間が指定された普通乗車券で乗車する権限が含まれてもよい。権限ＩＤとは、各権限を識別する固有の情報であり、例えば、電子マネーＩＤと、定期券ＩＤと、回数券ＩＤとを含む。
【００２２】
図６は、利用履歴情報テーブル１２３の内容の一例を示す図である。図６に示す通り、利用履歴情報テーブル１２３は、利用者の利用状況を示すテーブルであって、例えば、入場時の権限ＩＤ、入場駅、入場時刻、出場時の権限ＩＤ、出場駅、出場時刻を示す情報等が互いに対応付けられたテーブルである。
【００２３】
図７は、電子マネーテーブル１２４の内容の一例を示す図である。電子マネーテーブル１２４は、各利用者の電子マネー権限に関する情報を保存するテーブルである。電子マネーテーブル１２４では、例えば、図７に示す通り、電子マネーＩＤに、精算処理において引去った額と、残額情報とが対応付けられている。電子マネーＩＤに対応付けられている金額は、利用者により予めチャージされているものであってもよく、利用者が契約しているクレジットカードにより引き落とされるものであってもよい。
【００２４】
図８は、定期券テーブル１２５の内容の一例を示す図である。定期券テーブル１２５は、各利用者の定期券権限に関する情報を保存するテーブルである。定期券テーブル１２５では、例えば、図８に示す通り、定期券ＩＤに、定期券区間と、有効期間とが対応付けられている。定期券区間とは、定期券権限の効力が及ぶ路線区間を示す情報である。有効期間とは、定期券権限の効力が及ぶ期間を示す情報である。
【００２５】
図９は、回数券テーブル１２６の内容の一例を示す図である。回数券テーブル１２６は、各利用者の回数券権限に関する情報を保存するテーブルである。回数券テーブル１２６では、例えば、図９に示す通り、回数券ＩＤに、回数券区間と、有効期間と、残り回数とが対応付けられている。回数券区間とは、回数券権限の効力が及ぶ路線区間を示す情報である。有効期間とは、回数券権限の効力が及ぶ期間を示す情報である。残り回数とは、あと何回、回数券権限を行使できるかを示す情報である。
【００２６】
制御部１３０は、例えば、判別部１３１と、入出場管理部１３２とを備える。制御部１３０の各機能部は、例えばＣＰＵ（Central Processing Unit）等のプロセッサがプログラムメモリに格納されたプログラムを実行することにより実現される。また、制御部１３０の機能部のうち一部または全部は、ＬＳＩ（Large Scale Integration）、ＡＳＩＣ（Application Specific Integrated Circuit）、またはＦＰＧＡ（Field-Programmable Gate Array）等のハードウェアにより実現されてもよい。
【００２７】
判別部１３１は、通信部１１０により受信された指紋情報に基づいて、利用者のどの指が自動改札機１０の指紋リーダ部２１に接触したのかを判別し、指ごとに予め割り当てられている少なくとも一つの権限の種別を判別する。まず、判別部１３１は、例えば、指紋情報テーブル１２２を参照し、受信された指紋情報に基づいて指紋認証を行う。そして、判別部１３１は、受信された指紋情報に基づいて認証された指紋情報と対応付けられている権限ＩＤを、指紋情報テーブル１２２から取得する。
【００２８】
入出場管理部１３２は、判別部１３１により判別された権限の種別に応じた各種処理を行う。例えば、入出場管理部１３２は、判別部１３１により取得された権限ＩＤと一致する権限ＩＤが、利用履歴情報テーブル１２３において、対応する出場時の権限ＩＤが空欄である入場時の権限ＩＤと一致するか否かを判定し、一致しない場合、入場処理を行い、一致する場合、出場処理を行う。また、これに代えて、入出場管理部１３２は、自動改札機１０から、入場駅として機能しているか、出場駅として機能しているかを示す情報を指紋情報と共に取得し、その情報に基づいて、入場処理を行うか、出場処理を行うかを切り替えてもよい。
【００２９】
また、入出場管理部１３２は、入場処理や出場処理において、権限が有効であるか否かを判定する。権限が有効であることには、例えば、残高が収受される金額以上あること、有効期間内における定期券区間の利用であること、または、有効期間内の回数券区間内の利用であり且つ残り回数が１回以上残っていること等が含まれる。また、入出場管理部１３２は、出場処理を行う際、利用履歴情報テーブル１２３の入場時の権限ＩＤと出場時に取得された権限ＩＤとが一致するか否かを判定し、一致しない場合には権限が有効でないと判定する。なお、入場時の権限ＩＤが二つある場合、それら二つの権限ＩＤが出場時に判別部１３１により取得された二つの権限ＩＤと一致することが要求される。
【００３０】
また、入出場管理部１３２は、判別部１３１により判別された権限の種別と、上記説明した権限が有効か否かを判定した結果とに基づいて、利用者の入出場の可否を判定する。例えば、入出場管理部１３２は、権限が有効であると判定した場合、通信部１１０を用いて、自動改札機１０に扉部を開放させるコマンドを送信する。一方、乗車券の効力が有効でないと判定した場合、入出場管理部１３２は、通信部１１０を用いて、自動改札機１０に扉部を閉止させるコマンドを送信する。
【００３１】
さらに、入出場管理部１３２は、記憶部１２０を参照して、登録されている権限のうち予告対象となる権限があるか否かを定期的に判定する機能を有してもよい。予告対象とは、端末装置２００を用いて利用者に通知されることが好ましい事象であって、例えば、電子マネーの残高が予め決められた基準よりも少なくなったことや、定期券権限あるいは回数券権限の有効期間が予め決められた基準よりも短くなったこと等が含まれる。入出場管理部１３２は、例えば、電子マネーテーブル１２４を参照して、電子マネーの残高が基準よりも少なくなった権限ＩＤを取得し、電子マネーの残高が不足していることを示す予告情報を作成する。また、入出場管理部１３２は、定期券テーブル１２５または回数券テーブル１２６を参照して、定期券権限または回数券権限の有効期間が基準よりも短くなった権限ＩＤを取得し、定期券権限または回数券権限の有効期限が迫っていることを示す予告情報を作成してもよい。そして、入出場管理部１３２は、指紋情報テーブル１２２を参照して、取得した権限ＩＤと対応付けられている端末ＩＤを取得し、取得した端末ＩＤが示す端末に対して、予告情報を送信する。
【００３２】
次に、図１０を参照して、入出場管理システム１の全体の流れについて説明する。図１０は、入出場管理システム１の全体の流れの一例を示すシーケンス図である。端末装置２００は、利用者からの操作に基づいて、登録する権限の種別の指定を受け付けるとともに、指紋情報を取得する（Ｓ１）。端末装置２００は、例えば、所定の操作画面を表示して権限の種別の指定を受け付けるとともに、センサーやタッチパネルにより読み取られた指紋の形状を示す指紋情報を作成する。端末装置２００は、取得した権限の種別と指紋情報とを、センターサーバ１００に送信する（Ｓ２）。センターサーバ１００は、受信した権限の種別と指紋情報とを、指紋情報テーブル１２２に登録する（Ｓ３）。なお、このような指紋の登録作業は、駅に設置された券売機や専用端末などによって行われてもよい。
【００３３】
その後自動改札機１００を通過するとき、利用者は、事前に登録した指を指紋リーダ部２１または３１に接触させる。これにより、指紋リーダ部２１または３１は、指紋を読み取り、指紋情報を制御部２６に出力する（Ｓ４）。通信制御部２６Ａは、入力された指紋情報に、自動改札機１０が設置されている駅を示す情報や、日時を示す日時情報等を対応付けて、センターサーバ１００に送信する（Ｓ５）。
【００３４】
そして、センターサーバ１００の判別部１３１は、受信した指紋情報に基づいて指紋認証を行い、認証された指紋と対応付けられた権限の種別を判別する（Ｓ６）。そして、入出場管理部１３２は、入出場の可否を判定し、運賃を収受する等の入場処理または出場処理を行う（Ｓ７）。次いで、入出場管理部１３２は、入出場の可否の判定結果に応じたコマンドを自動改札機１０に送信する（Ｓ８）。自動改札機１０は、受信したコマンドに基づき、扉部２４および３４を開放状態または閉止状態に制御する（Ｓ９）。
【００３５】
なお、予め決められた確認タイミングとなった場合、入出場管理部１３２は、記憶部１２０を参照して、予告対象、例えば、電子マネーの残高が予め決められた基準よりも少なくなった電子マネーＩＤや、定期券権限または回数券権限の有効期間が予め決められた基準よりも短くなった定期券ＩＤまたは回数券ＩＤ等があるか否かを判定する（Ｓ１０）。予告対象がある場合、入出場管理部１３２は、予告情報を作成し（Ｓ１１）、予告対象の権限ＩＤと対応付けられた端末装置２００に対して、作成した予告情報を送信する（Ｓ１２）。端末装置２００は、受信した予告情報を表示部に表示させる（Ｓ１３）。
【００３６】
次に、図１１を参照して、自動改札機１０の動作について説明する。図１１は、自動改札機１０の動作の流れの一例を示すフローチャートである。指紋リーダ部２１または３１は、指紋を読み取ったか否かを判定する（ステップＳ１０１）。指紋リーダ部２１または３１は、指紋を読み取った場合、読み取った指紋の形状を示す指紋情報を作成する（ステップＳ１０２）。ここでの指紋情報は、カメラで撮像された画像そのものであってもよいし、画像から求めた特徴量であってもよい。指紋リーダ部２１または３１は、２以上の指紋を読み取った場合、指紋ごとに指紋情報を作成し、それぞれ対応付けて制御部２６の通信制御部２６Ａに送信する。制御部２６の通信制御部２６Ａは、指紋リーダ部２１または３１から指紋情報を受信した場合、指紋情報に、自動改札機１０が設置されている駅を示す情報や、日時を示す日時情報等を対応付けて、センターサーバ１００に送信する（ステップＳ１０３）。制御部２６の通信制御部２６Ａは、前述したように、自動改札機１０が入場駅として機能しているか、出場駅として機能しているかを示す情報をセンターサーバ１００に送信してもよい。
【００３７】
次に、図１２を参照して、センターサーバ１００の入場時の動作について説明する。図１２は、センターサーバ１００の入場時の動作の流れの一例を示すフローチャートである。なお、入場時の処理を行うか、出場時の処理を行うかは、例えば前述したように、例えば指紋の認証処理などを経て判定されるのであるが、ここではその判定に係る処理の説明を省略している。
【００３８】
まず、通信部１１０は、自動改札機１０から指紋情報等を受信し（ステップＳ２０１）、制御部１３０の判別部１３１に出力する。判別部１３１は、指紋情報テーブル１２２を参照し、入力した指紋情報に基づいて指紋認証を行い、認証された指紋情報と対応付けられている権限ＩＤを、指紋情報テーブル１２２から取得する（ステップＳ２０２）。次いで、判別部１３１は、認証された指紋情報と対応付けられている権限ＩＤが３つ以上あるか否かを判定する（ステップＳ２０３）。権限ＩＤが３つ以上ある場合、判別部１３１は、エラーであると判定する（ステップＳ２０４）。そして、入出場管理部１３２は、通信部１１０を用いて、自動改札機１０に扉部を閉止させるコマンドを送信する。
【００３９】
一方、権限ＩＤが３つ未満である場合、判別部１３１は、権限ＩＤが一つであるか否かを判定する（ステップＳ２０５）。権限ＩＤが一つである場合、入出場管理部１３２は、各権限に応じた単独入場処理を行う（ステップＳ２０６）。一方、権限ＩＤが一つでない場合、入出場管理部１３２は、権限の組み合わせに応じた複合入場処理を行う（ステップＳ２０７）。なお、「権限ＩＤが一つでない」とは、二つの指が自動改札機１０に接触し、指紋が二つ読み取られた場合と、一つの指が自動改札機１０に接触し、指紋が一つ読み取られ、且つその指紋に、指紋情報テーブル１２２において二つの権限ＩＤが対応付けられている場合とを含む。
【００４０】
以下、単独入場処理の一例について説明する。例えば、判別部１３１は、権限ＩＤが電子マネーＩＤであるか否かを判定し、電子マネーＩＤであると判定された場合、入出場管理部１３２は、電子マネーに基づく入場処理を行う。まず、入出場管理部１３２は、電子マネーテーブル１２４を参照して、残高が初乗り料金以上あるか否かを判定する。残高が初乗り料金以上である場合、通信部１１０を用いて、自動改札機１０に扉部を開放させるコマンドを送信する。そして、入出場管理部１３２は、利用履歴情報テーブル１２３の入場時の権限ＩＤに、電子マネーＩＤを書き込む。残高が初乗り料金未満である場合、入出場管理部１３２は、通信部１１０を用いて、自動改札機１０に扉部を閉止させるコマンドを送信する。
【００４１】
また、判別部１３１は、権限ＩＤが定期券ＩＤであるか否かを判定し、定期券ＩＤであると判定された場合、入出場管理部１３２は、定期券に基づく入場処理を行う。例えば、入出場管理部１３２は、定期券テーブル１２５を参照して、入場駅が定期券区間に含まれるか否かを判定する。入場駅が定期券区間に含まれる場合、入出場管理部１３２は、通信部１１０を用いて、自動改札機１０に扉部を開放させるコマンドを送信する。そして、入出場管理部１３２は、利用履歴情報テーブル１２３の入場時の権限ＩＤに、定期券ＩＤを書き込む。入場駅が定期券区間に含まれない場合、入出場管理部１３２は、通信部１１０を用いて、自動改札機１０に扉部を閉止させるコマンドを送信する。
【００４２】
また、判別部１３１は、権限ＩＤが回数券ＩＤであるか否かを判定し、回数券ＩＤであると判定された場合、入出場管理部１３２は、回数券に基づく入場処理を行う。例えば、入出場管理部１３２は、回数券テーブル１２６を参照して、例えば、入場駅が回数券区間に含まれるか否かを判定する。入場駅が回数券区間に含まれる場合、入出場管理部１３２が、回数券の残り回数を１回減らし、通信部１１０を用いて、自動改札機１０に扉部を開放させるコマンドを送信する。そして、入出場管理部１３２は、利用履歴情報テーブル１２３の入場時の権限ＩＤに、回数券ＩＤを書き込む。入場駅が回数券区間に含まれない場合、入出場管理部１３２は、通信部１１０を用いて、自動改札機１０に扉部を閉止させるコマンドを送信する。
【００４３】
次に、複合入場処理の一例について説明する。例えば、判別部１３１は、二つの権限ＩＤが電子マネーＩＤと定期券ＩＤであるか否かを判定し、電子マネーＩＤと定期券ＩＤである場合、入出場管理部１３２は、電子マネーと定期券との併用処理を行う。例えば、入出場管理部１３２は、定期券テーブル１２５を参照して、入場駅が定期券区間に含まれるか否かを判定する。入場駅が定期券区間に含まれる場合、入出場管理部１３２は、通信部１１０を用いて、自動改札機１０に扉部を開放させるコマンドを送信する。そして、入出場管理部１３２は、利用履歴情報テーブル１２３の入場時の権限ＩＤに、定期券ＩＤと電子マネーＩＤの両方を書き込む。一方、入場駅が定期券区間に含まれない場合、入出場管理部１３２は、電子マネーテーブル１２４を参照して、残高が初乗り料金以上あるか否かを判定する。残高が初乗り料金以上ある場合、入出場管理部１３２は、通信部１１０を用いて、自動改札機１０に扉部を開放させるコマンドを送信する。そして、入出場管理部１３２は、利用履歴情報テーブル１２３の入場時の権限ＩＤに、電子マネーＩＤと定期券ＩＤの両方を書き込む。入場駅が定期券区間に含まれず、且つ、残高が初乗り料金未満である場合、入出場管理部１３２は、通信部１１０を用いて、自動改札機１０に扉部を閉止させるコマンドを送信する。
【００４４】
また、判別部１３１は、二つの権限ＩＤが電子マネーＩＤと回数券ＩＤであるか否かを判定し、電子マネーＩＤと回数券ＩＤであると判定された場合、入出場管理部１３２は、電子マネーと回数券との併用処理を行う。例えば、入出場管理部１３２は、入出場管理部１３２は、回数券テーブル１２６を参照して、入場駅が回数券区間に含まれるか否かを判定する。入場駅が回数券区間に含まれる場合、入出場管理部１３２は、通信部１１０を用いて、自動改札機１０に扉部を開放させるコマンドを送信する。そして、入出場管理部１３２は、利用履歴情報テーブル１２３の入場時の権限ＩＤに、回数券ＩＤと電子マネーＩＤの両方を書き込み、回数券の残り回数を１回減らす。一方、入場駅が回数券区間に含まれない場合、入出場管理部１３２は、電子マネーテーブル１２４を参照して、残高が初乗り料金以上あるか否かを判定する。残高が初乗り料金以上ある場合、入出場管理部１３２は、通信部１１０を用いて、自動改札機１０に扉部を開放させるコマンドを送信する。そして、入出場管理部１３２は、利用履歴情報テーブル１２３の入場時の権限ＩＤに、電子マネーＩＤと回数券ＩＤの両方を書き込む。入場駅が回数券区間に含まれず、且つ、残高が初乗り料金未満である場合、入出場管理部１３２は、通信部１１０を用いて、自動改札機１０に扉部を閉止させるコマンドを送信する。なお、回数券区間の中間地点で入場した場合など、回数券の有効期間に余裕があるならば、電子マネーで支払った方が利用者にとって有利な場合もあり得る。入出場管理部１３２は、このような有利／不利を総合的に判断し、いずれの権限で収受を行うかを決定してもよい。
【００４５】
また、判別部１３１は、二つの権限ＩＤが定期券ＩＤと回数券ＩＤであるか否かを判定し、定期券ＩＤと回数券ＩＤであると判定された場合、入出場管理部１３２は、定期券と回数券との併用処理を行う。例えば、入出場管理部１３２は、定期券テーブル１２５と回数券テーブル１２６とを参照して、入場駅が定期券区間または回数券区間のいずれか一方に含まれるか否かを判定する。入場駅が定期券区間または回数券区間のいずれか一方に含まれる場合、入出場管理部１３２は、通信部１１０を用いて、自動改札機１０に扉部を開放させるコマンドを送信する。そして、入出場管理部１３２は、利用履歴情報テーブル１２３の入場時の権限ＩＤに、定期券ＩＤと回数券ＩＤの両方を書き込む。なお、入出場管理部１３２は、入場駅が回数券区間にのみ含まれる場合、回数券の残り回数を１回減らす。入場駅が定期券区間および回数券区間のいずれにも含まれない場合、入出場管理部１３２は、通信部１１０を用いて、自動改札機１０に扉部を閉止させるコマンドを送信する。
【００４６】
なお、図示していないが、判別部１３１は、取得された権限ＩＤが、電子マネーテーブル１２４、定期券テーブル１２５、回数券テーブル１２６のいずれにも登録されていない場合、エラーであると判定する。
【００４７】
次に、図１３を参照して、センターサーバ１００の出場時の動作について説明する。図１３は、センターサーバ１００の出場時の動作の流れの一例を示すフローチャートである。
【００４８】
まず、通信部１１０は、自動改札機１０から指紋情報等を受信し（ステップＳ３０１）、制御部１３０の判別部１３１に出力する。判別部１３１は、指紋情報テーブル１２２を参照し、入力した指紋情報に基づいて指紋認証を行い、認証された指紋情報と対応付けられている権限ＩＤを、指紋情報テーブル１２２から取得する（ステップＳ３０２）。次いで、判別部１３１は、認証された指紋情報と対応付けられている権限ＩＤが３つ以上か否かを判定する（ステップＳ３０３）。権限ＩＤが３つ以上ある場合、判別部１３１は、エラーであると判定する（ステップＳ３０４）。そして、入出場管理部１３２は、通信部１１０を用いて、自動改札機１０に扉部を閉止させるコマンドを送信する。
【００４９】
一方、権限ＩＤが３つ未満である場合、判別部１３１は、権限ＩＤが一つであるか否かを判定する（ステップＳ３０５）。権限ＩＤが一つである場合、入出場管理部１３２は、各権限に応じた単独出場処理を行う（ステップＳ３０６）。一方、権限ＩＤが一つでない場合、入出場管理部１３２は、権限を組み合わせに応じた複合出場処理を行う（ステップＳ３０７）。
【００５０】
以下、単独出場処理の一例について説明する。例えば、判別部１３１は、権限ＩＤが電子マネーＩＤであるか否かを判定し、電子マネーＩＤであると判定された場合、入出場管理部１３２は、電子マネーに基づく出場処理を行う。まず、入出場管理部１３２は、運賃テーブル１２１と利用履歴情報テーブル１２３とを参照して、入場駅から出場駅までの運賃を算出し、電子マネーテーブル１２４を参照して、残高が運賃以上あるか否かを判定する。残高が運賃以上である場合、入出場管理部１３２は、通信部１１０を用いて、自動改札機１０に扉部を開放させるコマンドを送信する。また、入出場管理部１３２は、電子マネーテーブル１２４の残高から運賃を差し引いて更新する。また、入出場管理部１３２は、利用履歴情報テーブル１２３の出場時の権限ＩＤに、電子マネーＩＤを書き込む。一方、残高が運賃未満である場合、入出場管理部１３２は、通信部１１０を用いて、自動改札機１０に扉部を閉止させるコマンドを送信する。
【００５１】
また、判別部１３１は、権限ＩＤが定期券ＩＤであるか否かを判定し、定期券ＩＤであると判定された場合、入出場管理部１３２は、定期券に基づく出場処理を行う。まず、入出場管理部１３２は、定期券テーブル１２５を参照して、出場駅が定期券区間に含まれるか否かを判定する。出場駅が定期券区間に含まれる場合、入出場管理部１３２は、通信部１１０を用いて、自動改札機１０に扉部を開放させるコマンドを送信する。また、入出場管理部１３２は、利用履歴情報テーブル１２３の出場時の権限ＩＤに、定期券ＩＤを書き込む。一方、出場駅が定期券区間に含まれない場合、入出場管理部１３２は、通信部１１０を用いて、自動改札機１０に扉部を閉止させるコマンドを送信する。
【００５２】
また、判別部１３１は、権限ＩＤが回数券ＩＤであるか否かを判定し、回数券ＩＤであると判定された場合、入出場管理部１３２は、回数券の出場処理を行う。まず、入出場管理部１３２は、回数券テーブル１２６を参照して、出場駅が回数券区間に含まれるか否かを判定する。出場駅が回数券区間に含まれる場合、入出場管理部１３２は、通信部１１０を用いて、自動改札機１０に扉部を開放させるコマンドを送信する。また、入出場管理部１３２は、利用履歴情報テーブル１２３の出場時の権限ＩＤに、回数券ＩＤを書き込む。一方、出場駅が回数券区間に含まれない場合、入出場管理部１３２が、通信部１１０を用いて、自動改札機１０に扉部を閉止させるコマンドを送信する。
【００５３】
次に、複合出場処理の一例について説明する。例えば、判別部１３１は、二つの権限ＩＤが電子マネーＩＤと定期券ＩＤであるか否かを判定し、電子マネーＩＤと定期券ＩＤであると判定された場合、入出場管理部１３２は、電子マネーと定期券との併用処理を行う。まず、入出場管理部１３２は、運賃テーブル１２１と利用履歴情報テーブル１２３と定期券テーブル１２５とを参照して、定期券区間を除く入場駅から出場駅までの運賃を算出し、電子マネーテーブル１２４から得られる残額が算出した運賃以上あるか否かを判定する。残額が算出した運賃以上ある場合、運賃を収受する。そして、入出場管理部１３２は、通信部１１０を用いて、自動改札機１０に扉部を開放させるコマンドを送信する。また、入出場管理部１３２は、電子マネーテーブル１２４の残高から運賃を差し引いて更新する。また、入出場管理部１３２は、利用履歴情報テーブル１２３の出場時の権限ＩＤに、電子マネーＩＤと定期券ＩＤの両方を書き込む。一方、残高が運賃未満である場合、入出場管理部１３２は、通信部１１０を用いて、自動改札機１０に扉部を閉止させるコマンドを送信する。なお、入場駅と出場駅が定期券区間に収まる場合、電子マネーからの運賃の収受は行われない。また、稀なケースであるが、入場駅から出場駅までの運賃をそのまま電子マネーで支払う場合よりも、入場駅から出場駅までの区間から定期券区間を除いた区間の運賃が高くなってしまう場合は、入場駅から出場駅までの運賃をそのまま電子マネーで収受してもよい。
【００５４】
また、判別部１３１は、二つの権限ＩＤが電子マネーＩＤと回数券ＩＤであるか否かを判定し、電子マネーＩＤと回数券ＩＤであると判定された場合、入出場管理部１３２は、電子マネーと回数券との併用処理を行う。まず、入出場管理部１３２は、運賃テーブル１２１と利用履歴情報テーブル１２３と回数券テーブル１２６とを参照して、回数券区間を除く入場駅から出場駅までの運賃を算出し、算出した運賃を電子マネーから収受する。また、入出場管理部１３２は、利用履歴情報テーブル１２３の出場時の権限ＩＤに、電子マネーＩＤと回数券ＩＤの両方を書き込む。以降の処理は、電子マネーと定期券との併用処理と同様である。
【００５５】
また、判別部１３１は、二つの権限ＩＤが定期券ＩＤと回数券ＩＤであるか否かを判定し、定期券ＩＤと回数券ＩＤであると判定された場合、入出場管理部１３２は、定期券と回数券との併用処理を行う。まず、入出場管理部１３２は、利用履歴情報テーブル１２２と定期券テーブル１２５と回数券テーブル１２６とを参照して、定期券区間を除く入場駅から出場駅までの区間を導出し、導出した区間が回数券区間に含まれるか否かを判定する。導出した区間が回数券区間に含まれる場合、入出場管理部１３２は、通信部１１０を用いて、自動改札機１０に扉部を開放させるコマンドを送信する。また、入出場管理部１３２は、利用履歴情報テーブル１２３の出場時の権限ＩＤに、定期券ＩＤと回数券ＩＤの両方を書き込む。一方、導出した区間が回数券区間に含まれない場合、入出場管理部１３２は、通信部１１０を用いて、自動改札機１０に扉部を閉止させるコマンドを送信する。
【００５６】
また、図示していないが、判別部１３１は、取得された権限ＩＤが、電子マネーテーブル１２４、定期券テーブル１２５、回数券テーブル１２６のいずれにも登録されていない場合、エラーであると判定する。
【００５７】
以上説明した少なくとも一つの実施形態によれば、自動改札機１０から受信された指紋情報に基づいて、利用者の指ごとに予め割り当てられている少なくとも一つの権限の種別を判別する判別部１３１と、判別部１３１により判別された権限の種別に基づいて、利用者の入出場の可否を判定する入出場管理部１３２とを持つことにより、利用者の利便性を向上させることができる。
【００５８】
また、以上説明した入出場管理システムによれば、複数の指の指紋情報に基づいて複数の乗車券の種別を判別し、判別された複数の乗車券を組み合わせて、利用者の入出場の可否を判定することができる。これにより、複数の乗車券を併用する場合であっても、利用者の入出場の可否を判定することができる。
【００５９】
また、以上説明した入出場管理システムによれば、一つの指に対して複数の乗車券を割り当てることができる。これにより、複数の乗車券を併用する場合であっても、一つの指で足りるため、利用者の利便性がさらに向上する。
【００６０】
また、以上説明した入出場管理システムによれば、権限の残高が基準より少ない場合や、権限の有効期間が基準より短い場合、利用者に通知することができる。これにより、利用者は、利用者の権限の更新が迫っていることを知ることができる。
【００６１】
本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００６２】
以上説明した入出場管理システム１は、上述に限定されない。例えば、入出場管理システム１は、例えば、テーマパークの入場や、セキュリティエリアへの入退の可否を判定するものであってもよい。また、権限の種別も上述に限られず、通勤用の定期券と、通学用の定期券とを判別するものであってもよく、予め指定された時刻の普通乗車券や特急券等を判別するものであってもよい。
【００６３】
また、センターサーバ１００の判別部１３１は、指紋情報に基づいて権限の種別を判別できない場合、その旨を自動改札機１０に設けられる表示部に表示させてもよい。この場合、タッチされた指が事前に登録されている指の種類と異なる可能性があるため、自動改札機１０は、その旨を表示部に表示してもよい。
【００６４】
また、指紋登録は、端末装置２００に限られず、駅に設置された駅務機器や券売機等を用いて登録されてもよい。
【００６５】
また、権限ごとに権限ＩＤが割り当てられて管理されているものとして説明したが、利用者の権限は、利用者に対して割り当てられた識別情報を用いて一元管理されてもよい。
【符号の説明】
【００６６】
１…入出場管理システム、１０…自動改札機、２０…主機、２１…指紋リーダ部、２２…上面表示部、２３…正面表示部、２４…扉部、２５…扉部、２６…制御部、２７…改札機側通信部、３０…従機、３１…指紋リーダ部、３２…上面表示部、３３…正面表示部、３４…扉部、３５…扉部、４０…駅務機器、５０…駅サーバ、１００…センターサーバ、１１０…通信部、１２０…記憶部、１２１…運賃テーブル、１２２…指紋情報テーブル、１２３…利用履歴情報テーブル、１２４…電子マネーテーブル、１２５…定期券テーブル、１２６…回数券テーブル、１３０…制御部、１３１…判別部、１３２…入出場管理部
【図１】
2018092431.tif 000003
【図２】
2018092431.tif 000004
【図３】
2018092431.tif 000005
【図４】
2018092431.tif 000006
【図５】
2018092431.tif 000007
【図６】
2018092431.tif 000008
【図７】
2018092431.tif 000009
【図８】
2018092431.tif 000010
【図９】
2018092431.tif 000011
【図１０】
2018092431.tif 000012
【図１１】
2018092431.tif 000013
【図１２】
2018092431.tif 000014
【図１３】
2018092431.tif 000015